(57)【特許請求の範囲】
【請求項１】
第１太陽電池パネルと、当該パネルの端部に設置された第１フレームと、を有する第１太陽電池モジュールと、
第２太陽電池パネルと、当該パネルの端部に設置された第２フレームと、を有し、前記第１太陽電池モジュールとの間に隙間をあけて当該モジュールの棟側に隣り合って配置された第２太陽電池モジュールと、
屋根に固定され、前記第１太陽電池モジュールの棟側端部に設置された前記第１フレームと前記第２太陽電池モジュールの軒側端部に設置された前記第２フレームとが載せられるマウント金具と、
前記第１及び前記第２フレームを前記マウント金具に固定するための固定金具と、
を備え
前記マウント金具の棟側縁部は、前記屋根の軒棟方向及び桁方向に対して傾斜し、
前記固定金具を固定するためのボルトが締結されるベース金具を備え、
前記マウント金具は、前記ベース金具を前記軒棟方向にスライド可能に支持するガイドレール部を有し、
前記固定金具は、前記ガイドレール部に挿入された前記ベース金具を介して前記マウント金具に固定されている、太陽光発電装置。
【請求項２】
前記マウント金具の軒側縁部は、前記軒棟方向及び前記桁方向に対して傾斜している、請求項１に記載の太陽光発電装置。
【請求項３】
前記マウント金具の前記棟側端部は、前記桁方向に対して約３°〜約１０°の角度で傾斜している、請求項１又は２に記載の太陽光発電装置。
【請求項４】
前記マウント金具は、屋根面に沿って配置される板状の固定部であって、当該金具を前記屋根に固定するためのネジを通す貫通孔が形成された固定部を有し、
前記貫通孔は、前記固定部の端から１０ｍｍ以上離れた位置に形成されている、請求項１〜３のいずれか１項に記載の太陽光発電装置。
【請求項５】
前記マウント金具は、前記軒棟方向に沿った方向の全長にわたって、屋根面との間に空間を設けて形成された排水溝を有する、請求項１〜４のいずれか１項に記載の太陽光発電装置。
【請求項６】
前記マウント金具には、前記各太陽電池モジュールから引き出される配線を固定するための結束バンドを通す結束バンド用孔が形成されている、請求項１〜５のいずれか１項に記載の太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、軒側の太陽電池モジュールに係合する軒側係合フックと、棟側の太陽電池モジュールに係合する棟側係合フックとを含む固定具を備えた太陽光発電装置が開示されている。かかる固定具は、ネジを用いて屋根に固定されている。
【先行技術文献】
【特許文献】
【０００３】
【特許文献１】特開２０１５−２１４８７７号公報
【発明の概要】
【発明が解決しようとする課題】
【０００４】
ところで、屋根に太陽光発電装置を設置した場合に、屋根の排水性、防水性を確保することは重要な課題である。従来の太陽光発電装置では、屋根材上に取り付けた金具の周囲から雨水等が浸入することを防止するため、例えば金具の周囲をシーリング処理する必要があり施工が面倒である。
【課題を解決するための手段】
【０００５】
本開示の一態様である太陽光発電装置は、第１太陽電池パネルと、当該パネルの端部に設置された第１フレームと、を有する第１太陽電池モジュールと、第２太陽電池パネルと、当該パネルの端部に設置された第２フレームと、を有し、前記第１太陽電池モジュールとの間に隙間をあけて当該モジュールの棟側に隣り合って配置された第２太陽電池モジュールと、屋根に固定され、前記第１太陽電池モジュールの棟側端部に設置された前記第１フレームと前記第２太陽電池モジュールの軒側端部に設置された前記第２フレームとが載せられるマウント金具と、前記第１及び前記第２フレームを前記マウント金具に固定するための固定金具とを備え、前記マウント金具の棟側縁部は、前記屋根の軒棟方向及び桁方向に対して傾斜している。
【発明の効果】
【０００６】
本開示の一態様である太陽光発電装置によれば、施工が容易でありながら、屋根の排水性、防水性を十分に確保できる。
【図面の簡単な説明】
【０００７】
【図１】実施形態の一例である太陽光発電装置の分解斜視図である。
【図２】実施形態の一例である太陽電池モジュールの断面図である。
【図３】実施形態の一例であるマウント金具の平面図である。
【図４】図３中のＡＡ線断面図である。
【図５】実施形態の一例であるベース金具の斜視図である。
【図６】ベース金具をマウント金具に取り付けた状態を示す横方向断面図である。
【図７】実施形態の一例である固定金具の斜視図である。
【図８Ａ】実施形態の一例である太陽光発電装置の取り付け構造を示す縦方向断面図である。
【図８Ｂ】図８Ａの一部を拡大して示す図である。
【図９】実施形態の他の一例であるマウント金具の平面図である。
【図１０】図９中のＢＢ線断面図である。
【図１１】実施形態の他の一例であるマウント金具の平面図である。
【図１２】図１１中のＣＣ線断面図である。
【図１３】実施形態の他の一例である固定金具の斜視図である。
【図１４】実施形態の他の一例である太陽光発電装置の取り付け構造を示す縦方向断面図である。
【発明を実施するための形態】
【０００８】
本開示の一態様である太陽光発電装置では、屋根に固定されるマウント金具の棟側縁部が屋根の軒棟方向及び桁方向に対して傾斜しているため、雨水等はマウント金具によって堰き止められず、傾斜した金具の棟側縁部に沿って軒側に流れる。このため、マウント金具の周囲のシーリング処理を行わない、或いは簡素化しても、屋根の排水性、防水性を十分に確保することができる。つまり、本開示に係る太陽光発電装置によれば、良好な施工性と、優れた排水性、防水性を両立することができる。
【０００９】
以下、図面を参照しながら、実施形態の一例について詳細に説明する。実施形態において参照する図面は、模式的に記載されたものであるから、図面に描画された構成要素の寸法などは、以下の説明を参酌して判断されるべきである。本明細書において、「略〜」との記載は、略同じを例に説明すると、完全に同じであることはもとより、実質的に同じであると認められる場合を含む意図である。以下で説明する実施形態は例示であって、本開示の太陽光発電装置はこれに限定されない。
【００１０】
以下では、屋根の軒棟方向に沿うマウント金具等の方向を「縦方向」とし、屋根の桁方向（軒棟方向に垂直な方向）に沿うマウント金具等の方向を「横方向（左右）」とする。マウント金具が載置される屋根面（マウント金具が屋根材上に載置される場合は、屋根材の表面）に垂直な方向に沿うマウント金具等の方向を「上下方向」とする。図面には、屋根の軒棟方向・縦方向を矢印α、桁方向・横方向を矢印β、上下方向を矢印γで示す。特に断らない限り、マウント金具等の上端とは、当該上下方向における上端を意味する。
【００１１】
図１は、実施形態の一例である太陽光発電装置１０の分解斜視図である。図１に例示するように、太陽光発電装置１０は、太陽電池モジュール１１Ａ（第１太陽電池モジュール）と、太陽電池モジュール１１Ｂ（第２太陽電池モジュール）と、マウント金具３０と、固定金具５０とを備える。太陽電池モジュール１１Ａは、太陽電池パネル１２Ａ（第１太陽電池パネル）と、当該パネルの端部に設置されたフレーム１３Ａ（第１フレーム）とを有する。太陽電池モジュール１１Ｂは、太陽電池パネル１２Ｂ（第２太陽電池パネル）と、当該パネルの端部に設置されたフレーム１３Ｂ（第２フレーム）とを有する。太陽電池モジュール１１Ｂは、太陽電池モジュール１１Ａとの間に隙間Ｓ（図８Ａ参照）をあけて太陽電池モジュール１１Ａの棟側に隣り合って配置されている。
【００１２】
太陽光発電装置１０は、屋根１００に複数の太陽電池モジュール１１（１１Ａ，１１Ｂ）を取り付けて構築されている。本明細書では、説明の便宜上、軒棟方向に隣り合って配置される２枚の太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有するものとする。
【００１３】
詳しくは後述するが、マウント金具３０は、屋根１００に固定され、太陽電池モジュール１１Ａの棟側端部に設置されたフレーム１３Ａと太陽電池モジュール１１Ｂの軒側端部に設置されたフレーム１３Ｂとが載せられる金具である。固定金具５０は、フレーム１３Ａ，１３Ｂをマウント金具３０に固定するための金具である。マウント金具３０の棟側縁部は、屋根１００の軒棟方向及び桁方向に対して傾斜している。
【００１４】
本実施形態では、マウント金具３０上にアース金具１５が設けられ、フレーム１３Ａ，１３Ｂはアース金具１５を介してマウント金具３０上に設置されている。太陽光発電装置１０は、ボルト１６が締結されるベース金具４０を備え、マウント金具３０は、ベース金具４０を軒棟方向にスライド可能に支持するガイドレール部３４を有することが好ましい。そして、固定金具５０は、ガイドレール部３４に挿入されたベース金具４０を介してマウント金具３０に固定される。
【００１５】
太陽光発電装置１０は、屋根材１０１が敷設された屋根１００に取り付けられている。屋根材１０１は、例えばスレート瓦である。屋根材１０１は、棟側の屋根材１０１を軒側の屋根材１０１の一部に重ねながら軒棟方向に配置されるため、屋根材１０１が重なり合った部分には段差が形成される。なお、太陽光発電装置１０が取り付けられる屋根は屋根１００に限定されない。
【００１６】
太陽光発電装置１０は、屋根材１０１上に配置された複数のマウント金具３０上に太陽電池モジュール１１を固定することで構築されている。マウント金具３０は、例えば、屋根材１０１及びスペーサ１０５上に載置されて屋根１００の野地板１０２（後述の図８参照）にネジ止めされる。スペーサ１０５は、屋根材１０１間に形成された段差部分に設けられ、当該段差を埋めてマウント金具３０の安定した取り付けを可能とする。マウント金具３０を屋根材１０１及びスペーサ１０５上に直接配置することで、屋根面（屋根材１０１の表面）からの太陽電池モジュール１１の高さを低くすることができ、屋根１００と太陽光発電装置１０の一体感が向上する。
【００１７】
太陽電池モジュール１１は、上述のように、太陽電池パネル１２と、フレーム１３とを有する。太陽電池パネル１２は、例えば、複数の太陽電池セルが２枚の保護部材で挟持された略平坦なパネルである。フレーム１３は、例えば、アルミニウムを主成分とする金属材料を押出成形して形成され、太陽電池パネル１２の四方を囲んで設置される。フレーム１３の表面には、一般的に塗膜が形成されている。
【００１８】
太陽電池モジュール１１は、ベース金具４０、固定金具５０、及びボルト１６を用い、フレーム１３を利用してマウント金具３０に固定される。図１に示す例では、平面視略矩形形状を有する太陽電池モジュール１１の短辺方向が軒棟方向と略平行となるように、複数の太陽電池モジュール１１が配置されている。桁方向に隣り合う太陽電池モジュール１１同士は略接触した状態で配置され、軒棟方向に隣り合う太陽電池モジュール１１同士（太陽電池モジュール１１Ａ，１１Ｂ）は隙間Ｓをあけて配置されている。
【００１９】
太陽電池モジュール１１は、軒側端部の２箇所と棟側端部の２箇所の合計４箇所でマウント金具３０に固定されることが好ましい。１枚の太陽電池モジュール１１の裏側には、例えば当該モジュールの軒側端部の左右に対応する位置と、棟側端部の左右に対応する位置とにマウント金具３０が配置される。太陽電池モジュール１１Ａ，１１Ｂの境界部に配置されるマウント金具３０には、当該２枚の太陽電池モジュールのフレーム１３Ａ，１３Ｂが載せられる。
【００２０】
太陽光発電装置１０の軒側端部及び棟側端部は、マウント金具３０、ベース金具４０、及び固定金具５０を用いて屋根１００に固定されてもよく、専用の金具を用いて固定されてもよい。
【００２１】
図１に示す例では、複数のマウント金具３０が軒棟方向及び桁方向に並んで配置されている。軒棟方向に並ぶ各マウント金具３０は、各太陽電池モジュール１１の軒棟方向に沿った長さに合わせて、軒棟方向に一定の間隔をあけて配置される。各マウント金具３０は、ガイドレール部３４が軒棟方向に沿うように屋根１００に固定される。フレーム１３Ａ，１３Ｂは、ガイドレール部３４と略直交するようにマウント金具３０上に載せられる。
【００２２】
図２は、太陽電池モジュール１１の端部の断面図である。図２に例示するように、太陽電池パネル１２の端部に設置されるフレーム１３は、中空の角柱形状を有する本体部２０と、モジュールの内側に向かって開口した内溝２２と、モジュールの外側に向かって開口した外溝２４とを有する。また、フレーム１３はモジュールの内側に張り出した内鍔部２５を有する。本体部２０、外溝２４、及び内鍔部２５は、太陽電池パネル１２の裏側に位置し、特に外溝２４と内鍔部２５は、マウント金具３０に対する太陽電池モジュール１１の固定に使用される。
【００２３】
フレーム１３は、本体部２０の上面に立設した鉤部２１を有し、本体部２０の上面と鉤部２１との間に太陽電池パネル１２を挿入可能な隙間である内溝２２が形成される。鉤部２１は、本体部２０の外側から上方に真っ直ぐ延び、途中で内側に折れ曲がって断面略Ｌ字状に形成されている。即ち、鉤部２１は太陽電池パネル１２の上下方向に沿った側面を覆い、太陽電池パネル１２の受光面上に張り出している。鉤部２１の受光面上に張り出す部分の長さは、例えば本体部２０の幅と略同一である。フレーム１３には、内鍔部２５と反対側（外側）に延びた底板２３が設けられ、本体部２０の下面と底板２３との間に外溝２４が形成される。底板２３は、内鍔部２５と共にフレーム１３の底面を形成する。
【００２４】
図３はマウント金具３０の平面図、図４は図３中のＡＡ線断面図である。図３及び図４に例示するように、マウント金具３０は、ベース金具４０が載せられる基部３１と、基部３１の下部から左右にそれぞれ張り出したフランジ部３２とを有する。マウント金具３０は、屋根面に沿って配置される板状の固定部であって、当該金具を屋根１００に固定するためのネジを通す貫通孔が形成された固定部を有する。貫通孔は、固定部の端から１０ｍｍ以上離れた位置に形成されていることが好ましい。本実施形態では、固定部としてフランジ部３２が設けられている。
【００２５】
マウント金具３０は、軒棟方向に沿う縦方向に長い形状を有する。マウント金具３０の棟側縁部３０ｂは、屋根１００の軒棟方向及び桁方向に対して傾斜している。ガイドレール部３４は軒棟方向に沿って真っ直ぐに延びることが好ましいため、棟側縁部３０ｂの切断面を縦方向及び横方向に対して斜めに形成することで、棟側縁部３０ｂを傾斜させることが好適である。この場合、施工性を損なうことなく、雨水等の排水性を向上させることができる。つまり、雨水等はマウント金具３０によって堰き止められず、傾斜した棟側縁部３０ｂに沿って軒側に流れる。このため、雨水等はマウント金具３０の周囲に溜まらず、金具の周囲から浸入し難い。
【００２６】
マウント金具３０の軒側縁部３０ａは、屋根１００の軒棟方向及び桁方向に対して棟側縁部３０ｂと略同じ角度で傾斜していることが好ましい。即ち、軒側縁部３０ａは棟側縁部３０ｂと略平行に形成されていることが好ましい。軒側縁部３０ａの傾斜は排水性に影響を与えないが、一般的に、マウント金具３０は長尺状の部材を切断して製造されるため、各端部を同じ方向に同じ角度で切断することで材料の無駄を無くすことができる。なお、軒棟方向の墨出しに利用されるＶ溝、刻印等の目印をマウント金具３０に形成してもよい。当該目印は、例えば軒側縁部３０ａの近傍における上壁部３１ａの上面中央に形成される。
【００２７】
マウント金具３０の棟側縁部３０ｂは、屋根１００の桁方向に対して約３°〜１５°の角度θで傾斜していることが好ましい。角度θが当該範囲内であれば、良好な施工性と排水性を両立し易くなる。軒側縁部３０ａについても、桁方向に対して約３°〜１５°の角度θで傾斜していることが好ましい。マウント金具３０は、例えば、軒側縁部３０ａと棟側縁部３０ｂとが略平行で、また各フランジ部３２の外端３２ａ同士も略平行な平面視略平行四辺形状を有する。
【００２８】
基部３１は、ベース金具４０が載せられる上壁部３１ａと、上壁部３１ａの横方向両端部から下方に延び、上壁部３１ａとフランジ部３２をつなぐ側壁部３１ｂとを有する。基部３１は、例えば、上壁部３１ａに対して各側壁部３１ｂが略垂直に形成されている。上壁部３１ａの横方向中央部には、縦方向全長にわたって下方に窪んだ凹部３１ｃが形成されている。凹部３１ｃを設けることで、ベース金具４０に固定されるボルト１６の軸部が上壁部３１ａと干渉することを防止できる。
【００２９】
基部３１上には、鉤部３３が形成されている。マウント金具３０には、上壁部３１ａの横方向両端部に一対の鉤部３３がそれぞれ立設している。鉤部３３は、上壁部３１ａの横方向両端部から上方に真っ直ぐ延び、途中で内側に折れ曲がって断面略Ｌ字状に形成されている。上壁部３１ａと鉤部３３とによって、ベース金具４０を縦方向にスライド可能に支持するガイドレール部３４が形成される。
【００３０】
基部３１の上壁部３１ａは、凹部３１ｃ以外の部分において屋根面に接触するフランジ部３２よりも高い位置に形成されている。このため、上壁部３１ａの下には屋根面との間に空間が設けられる。マウント金具３０は、軒棟方向に沿った縦方向の全長にわたって、屋根面との間に空間を設けて形成された排水溝３７を有することが好ましい。マウント金具３０には、凹部３１ｃの左右に排水溝３７が形成されている。排水溝３７を設けることにより、太陽光発電装置１０の設置箇所における屋根１００の排水性がさらに向上する。
【００３１】
フランジ部３２は、基部３１の下部から外側に張り出し、マウント金具３０の縦方向の全長にわたって形成されている。フランジ部３２は、基部３１の内側、即ち上壁部３１ａの下にも延出していることが好ましい。基部３１の内側に延出する部分の横方向長さは、鉤部３３の横方向長さよりも短くてよい。基部３１の各側壁部３１ｂは、例えば、フランジ部３２に対して略垂直に形成されている。各フランジ部３２には、ネジ１０７（後述の図８Ａ参照）を通す貫通孔３５が軒棟方向に並んで複数形成されている。
【００３２】
貫通孔３５は、上述のように、フランジ部３２の端から１０ｍｍ以上離れた位置に形成されることが好ましい。貫通孔３５をフランジ部３２の端から離して形成することにより、ネジ１０７が取り付けられる部分に雨水等が浸入し難くなる。貫通孔３５は、例えば、フランジ部３２の縦方向に沿った外側の端である外端３２ａ、及びフランジ部３２の縦方向両端（軒側縁部３０ａ及び棟側縁部３０ｂ）から１０ｍｍ以上離れた位置に形成される。また、貫通孔３５は、フランジ部３２の縦方向に沿った内側の端であって排水溝３７と接する内端３２ｂからも１０ｍｍ以上離れた位置に形成されることが好ましい。貫通孔３５は、例えば外端３２ａ及び内端３２ｂから略等距離の位置に形成される。
【００３３】
マウント金具３０には、各太陽電池モジュール１１から引き出される配線を固定するための結束バンド（図示せず）を通す結束バンド用孔３６が形成されていてもよい。図３に示す例では、上壁部３１ａの縦方向両端部に２つずつ合計４つの結束バンド用孔３６が形成されている。例えば、屋根１００の桁方向に延びる配線は、結束バンド用孔３６に通された結束バンドを用いて、マウント金具３０の軒側端部又は棟側端部に固定される。
【００３４】
マウント金具３０には、施工時に使用される位置合わせマーク３８が設けられていてもよい。図３に示す例では、各フランジ部３２の上面において外端３２ａから横方向に延びる線状の位置合わせマーク３８が形成されている。左右のフランジ部３２に形成された各位置合わせマーク３８は、横方向に並んで同一直線上に形成されている。マウント金具３０は、例えば、位置合わせマーク３８が屋根材１０１の軒側縁部と一致するように、屋根１００上に配置される。
【００３５】
図５はベース金具４０の斜視図、図６はベース金具４０をマウント金具３０に取り付けた状態を示す横方向断面図である。図５及び図６に例示するように、ベース金具４０は、固定金具５０を固定するボルト１６が締結される基部４１と、マウント金具３０のガイドレール部３４に挿し込まれる延出部４２とを有する。基部４１は、マウント金具３０の各鉤部３３の間に配置可能な幅を有し、軒棟方向に沿う縦方向に長く形成されている。
【００３６】
延出部４２は、基部４１の左右から張り出している。延出部４２がガイドレール部３４に挿し込まれることで、ベース金具４０がマウント金具３０に係合してベース金具４０が上方に抜けなくなる。延出部４２は、根元で上方に小さく折れ曲がり、その上面は基部４１の上面よりも少し上に位置する。延出部４２の上面は略平坦であり、例えば、基部４１にボルト１６が締結されることでガイドレール部３４を形成する鉤部３３の下面に当接し、マウント金具３０に対してベース金具４０が強固に固定される。他方、ボルト１６が締結されるまでは、ガイドレール部３４に沿ってベース金具４０をスライドさせることができる。
【００３７】
ベース金具４０は、係合部４３と、棟側立壁部４４とを有していてもよい。フレーム１３Ａ，１３Ｂは、上述のように、太陽電池モジュール１１Ａ，１１Ｂの裏側において、太陽電池モジュール１１Ａ，１１Ｂの内側に張り出した内鍔部２５Ａ，２５Ｂをそれぞれ有する。後述の図８に例示するように、係合部４３は、マウント金具３０の上端よりも上方に突出してフレーム１３Ａの内鍔部２５Ａ（第１内鍔部）に係合する。棟側立壁部４４は、マウント金具３０の上端よりも上方に突出してフレーム１３Ｂの内鍔部２５Ｂ（第２内鍔部）の先端と対向配置される。
【００３８】
係合部４３は、基部４１の軒側端部（縦方向一端部）において、基部４１との間に内鍔部２５Ａを挿入可能な隙間をあけて断面略Ｌ字状に形成される。棟側立壁部４４は、フレーム１３Ｂの設置に支障がない高さで、内鍔部２５Ｂの先端と対面する位置に形成される。棟側立壁部４４は、例えば、基部４１の棟側端部（縦方向他端部）と縦方向中央部との間で基部４１を構成する金属板の一部を上方に折り曲げて形成されるため、当該折り曲げを可能とすべく、棟側立壁部４４の軒側には開口部４８が形成されている。
【００３９】
ベース金具４０には、ボルト１６が螺合されるボルト締結部４６、及び仮止めボルト１７（後述の図８Ａ参照）が螺合される仮止めボルト締結部４７が形成されることが好ましい。ボルト締結部４６は、基部４１の係合部４３と棟側立壁部４４の間であって、マウント金具３０の凹部３１ｃと上下方向に重なる部分に形成されている。仮止めボルト締結部４７は、基部４１の棟側立壁部４４よりも棟側部分に形成されている。各ボルト締結部は、例えば、基部４１を構成する金属板をバーリング加工及びネジ加工して形成される。
【００４０】
図７は、固定金具５０の斜視図である。図７に例示するように、固定金具５０は、ボルト１６を通す貫通孔５５が形成された基部５１と、基部５１から軒側に延出した第１係合部５２と、基部５１から棟側に延出した第２係合部５３とを有する。第１係合部５２はフレーム１３Ａの外溝２４Ａに挿し込まれる部分であって、第２係合部５３はフレーム１３Ｂの外溝２４Ｂに挿し込まれる部分である。固定金具５０は、第１係合部５２と第２係合部５３が基部５１で連結され、各係合部が一体となった金具である。
【００４１】
固定金具５０は、基部５１と各係合部とが並ぶ方向に長くなった平面視略平行四辺形状の金具である。固定金具５０の平面視形状は特に限定されないが、長方形を除く平行四辺形状であることが好ましい。固定金具５０の軒側縁部５０ａと棟側縁部５０ｂ、即ち第１係合部５２の軒側縁部と第２係合部５３の棟側縁部は、互いに略平行であり、当該平行四辺形の短辺を形成する。当該平行四辺形の鈍角となる２つの角部は、例えば１２０°の角度で形成されている。鋭角となる２つの角部は、面取りされていてもよい。なお、固定金具５０の平面視形状は、平行六角形等の他の平行多角形状としてもよい。
【００４２】
固定金具５０が平面視略平行四辺形状である場合、固定金具５０の長さ（長辺の長さ）は、例えば、隙間Ｓの幅以上、且つフレーム１３Ａの外溝２４Ａの最奥部からフレーム１３Ｂの外溝２４Ｂの最奥部までの長さ以下である。固定金具５０は、平行四辺形の短辺を形成する軒側縁部５０ａ及び棟側縁部５０ｂが外溝２４Ａ，２４Ｂの最奥部にそれぞれ当接する長さを有していてもよい。また、長辺が横方向を向くように固定金具５０を回転させたときに各係合部が外溝２４Ａ，２４Ｂから完全に抜けるように、固定金具５０の幅（短辺の長さ）は隙間Ｓの幅未満であることが好ましい。固定金具５０の厚みは、外溝２４Ａ，２４Ｂに挿し込み可能な厚みであればよい。
【００４３】
固定金具５０は、基部５１と第１係合部５２の境界部で上方に小さく折れ曲がり、第１係合部５２の下面は基部５１の下面よりも少し上に位置する。後述の図８に例示するように、屋根面の傾斜の関係上、フレーム１３Ａの底板２３Ａの先端はマウント金具３０上から少し浮き上がる。このため、基部５１と第１係合部５２の境界部に段差を形成することで、フレーム１３Ａ，１３Ｂに対する固定金具５０の取り付けが容易になる。
【００４４】
固定金具５０は、第１係合部５２及び第２係合部５３が先端（軒側縁部５０ａ及び棟側縁部５０ｂ）に向かって緩やかに下がるように僅かに湾曲又は屈曲していてもよい。図７に示す例では、基部５１と第２係合部５３の境界部に段差は存在しないが、当該境界部に段差を形成してもよい。
【００４５】
基部５１は、ボルト１６が取り付けられる部分であって、略真円形状の貫通孔５５を有する。貫通孔５５は、例えば、平面視略平行四辺形状の固定金具５０の対角線の交点を中心として形成される。基部５１には、２つの器具挿入孔５６が形成されていてもよい。各器具挿入孔５６は、貫通孔５５よりも小さな孔であって、貫通孔５５を挟んで形成される。貫通孔５５と各器具挿入孔５６は、例えば略同一直線上に位置する。固定金具５０は隙間Ｓ内で回転可能であるが、例えば、当該回転操作時に二股構造の器具（図示せず）を器具挿入孔５６に挿入して、ボルト１６を中心に固定金具５０を回転させることができる。
【００４６】
第１係合部５２は基部５１の軒側端部から軒側に延出しており、第２係合部５３は基部５１の棟側端部から棟側に延出している。各係合部は、下方に突出する突起５４をそれぞれ有することが好ましい。突起５４は、各係合部の横方向両端部に形成されている。突起５４は、例えば各係合部を構成する金属板を上面側からプレスして形成される。
【００４７】
図８Ａ，Ｂは、太陽光発電装置１０の取り付け構造を示す縦方向断面図であって、マウント金具３０、ベース金具４０、及び固定金具５０を用いて、太陽電池モジュール１１Ａの棟側端部及び太陽電池モジュール１１Ｂの軒側端部を屋根１００に固定する構造を示す。
【００４８】
図８Ａ，Ｂに例示するように、ベース金具４０が係合したマウント金具３０上には、アース金具１５を介して、太陽電池モジュール１１Ａの棟側端部に設置されたフレーム１３Ａと、太陽電池モジュール１１Ｂの軒側端部に設置されたフレーム１３Ｂとが載せられている。そして、第１係合部５２がフレーム１３Ａの外溝２４Ａに挿し込まれ、第２係合部５３がフレーム１３Ｂの外溝２４Ｂに挿し込まれた固定金具５０が、ベース金具４０にボルト１６を用いて締結されている。ボルト１６には、例えば頭部に六角レンチを挿入可能なレンチ穴付きのボルトが使用される。
【００４９】
マウント金具３０は、板状の固定部であるフランジ部３２に取り付けられたネジ１０７によって屋根１００の野地板１０２に固定される。図８に示す例では、位置合わせマーク３８と屋根材１０１の軒側縁部とが一致するようにマウント金具３０が配置され、マウント金具３０の棟側部分が屋根材１０１上に、軒側部分がスペーサ１０５上に固定されている。一部のネジ１０７は、フランジ部３２の貫通孔３５とスペーサ１０５の貫通孔１０６に通され、屋根材１０１を貫通して野地板１０２に固定される。ネジ１０７には、例えばパッキン付きの木ネジが使用される。マウント金具３０と屋根材１０１及びスペーサ１０５との間には、ゴム製シート１０３（例えば、ブチルゴムシート）が設けられている。
【００５０】
太陽電池モジュール１１Ａ，１１Ｂは、太陽電池パネル１２Ａ，１２Ｂが屋根１００の野地板１０２と略平行となるようにマウント金具３０上に固定される。屋根材１０１の表面である屋根面は野地板１０２と平行ではないので、フレーム１３Ａ，１３Ｂが載せられるマウント金具３０の上端（鉤部３３の上面）も野地板１０２と平行にならない。このため、フレーム１３Ａの底板２３Ａの先端がマウント金具３０上から少し浮き上がり、マウント金具３０の上端からの外溝２４Ａ，２４Ｂの高さは外溝２４Ａの方が僅かに高くなる。このため、固定金具５０の基部５１と第１係合部５２の境界部には上述の段差が形成されている。また、鉤部２１Ａ，２１Ｂの高さも鉤部２１Ａの方が僅かに高くなる。
【００５１】
ベース金具４０は、マウント金具３０のガイドレール部３４（図４等参照）に挿入されている。ガイドレール部３４は、上述のように、マウント金具３０の軒棟方向に沿った縦方向の全長にわたって形成されている。このため、マウント金具３０上にフレーム１３Ａ，１３Ｂが載せられてボルト１６が締結されるまでは、マウント金具３０から食み出さない範囲でベース金具４０を軒棟方向にスライドさせることができる。フレーム１３Ａ，１３Ｂはマウント金具３０上のベース金具４０が取り付けられた部分に載せられるが、ベース金具４０は上記のようにスライド可能であるため、フレーム１３Ａ，１３Ｂの配置の自由度が高く施工性に優れる。
【００５２】
ベース金具４０は、フレーム１３Ａ，１３Ｂを配置する際に軒棟方向に動かないように、仮止めボルト１７を用いて仮止めすることができる。仮止めボルト１７は、ベース金具４０の基部４１に形成された仮止めボルト締結部４７に螺合され、軸部の先端がマウント金具３０の上壁部３１ａに押し付けられて、マウント金具３０の目的とする位置にベース金具４０を仮止めする。ベース金具４０の位置は、仮止めボルト１７を緩めることで容易に調整できる。
【００５３】
フレーム１３Ａは、アース金具１５を介してマウント金具３０の鉤部３３上に載せられ、且つベース金具４０のボルト締結部４６に対応する位置よりも軒側に配置される。アース金具１５は、上方に突出した突起と、ボルト１６及び後述のスペーサ１８を通す貫通孔とを有する。アース金具１５の突起が、フレーム１３Ａの表面に形成された塗膜を突き破ってフレーム１３Ａの底面に食い込むことでアースをとることができる。アース金具１５の突起は、フレーム１３Ｂの底面に対しても同様に食い込む。
【００５４】
フレーム１３Ａの軒側にはベース金具４０の係合部４３が立設しており、係合部４３がフレーム１３Ａの内鍔部２５Ａ上に張り出して係合する。換言すると、内鍔部２５Ａがベース金具４０の基部４１と係合部４３との間に挿し込まれた状態である。内鍔部２５Ａは、例えば太陽電池モジュール１１Ａに負圧が作用したときに、係合部４３によって上から押えられる。
【００５５】
フレーム１３Ｂは、アース金具１５を介してマウント金具３０の鉤部３３上に載せられ、且つベース金具４０のボルト締結部４６に対応する位置よりも棟側に配置される。つまり、フレーム１３Ｂは、フレーム１３Ａとの間にボルト１６を通す隙間Ｓをあけて配置されている。ベース金具４０の棟側には、内鍔部２５Ｂの先端と対面する位置に棟側立壁部４４が設けられているため、太陽電池モジュール１１Ｂの棟側への移動が防止される。
【００５６】
固定金具５０は、第１係合部５２がフレーム１３Ａの外溝２４Ａに、第２係合部５３がフレーム１３Ｂの外溝２４Ｂにそれぞれ挿し込まれることで、フレーム１３Ａ，１３Ｂに跨って取り付けられている。固定金具５０を固定するボルト１６は、基部５１の貫通孔５５に通され、ベース金具４０のボルト締結部４６に螺合している。ベース金具４０に締結されたボルト１６が基部５１を上から押圧することで、外溝２４Ａ，２４Ｂに挿し込まれた各係合部の突起５４（図７参照）が底板２３Ａ，２３Ｂの上面に強く当接している。
【００５７】
固定金具５０は、隙間Ｓの下部で回転可能に構成されている。固定金具５０は、例えば回転可能な程度でベース金具４０にボルト止めされた後、ボルト１６の中心軸を中心として回転する。具体的には、ボルト１６の軒側に太陽電池モジュール１１Ａを配置した状態で、上記二股構造の器具を用いて固定金具５０を回転させることで、第１係合部５２を外溝２４Ａに挿し込むことができる。そして、ボルト１６の棟側に太陽電池モジュール１１Ｂを配置し、外溝２４Ｂに第２係合部５３を挿し込むことにより、フレーム１３Ａ，１３Ｂに跨って固定金具５０が取り付けられる。ボルト１６は、例えば第２係合部５３が外溝２４Ｂに挿し込まれた後、ベース金具４０に締結される。
【００５８】
なお、各係合部が外溝２４Ａ，２４Ｂに挿し込まれた固定金具５０をボルト１６の中心軸を中心に回転させることで、各係合部を外溝２４Ａ，２４Ｂから抜いて固定金具５０をフレーム１３Ａ，１３Ｂから取り外すことができる。具体的には、ボルト１６を緩めて固定金具５０の幅方向が横方向に沿うように固定金具５０を回転させることにより、各係合部を外溝２４Ａ，２４Ｂから抜くことができる。即ち、太陽光発電装置１０の取り付け構造では、ボルト１６を中心に固定金具５０を回転させることで、フレーム１３Ａ，１３Ｂの外溝２４Ａ，２４Ｂに対して各係合部を挿抜可能である。
【００５９】
固定金具５０が平面視平行多角形状、好ましくは略平行四辺形状である場合、外溝２４Ａに挿し込まれた第１係合部５２の軒側縁部（軒側縁部５０ａ）の端面が、外溝２４Ａの最奥部に沿って略当接していてもよい。また、外溝２４Ｂに挿し込まれた第２係合部５３の軒側縁部（軒側縁部５０ａ）の端面が、外溝２４Ｂの最奥部に沿って略当接していてもよい。各係合部が外溝２４Ａ，２４Ｂの奥まで挿し込まれることで、フレーム１３Ａ，１３Ｂを押えることができる。固定金具５０の平面視形状が長方形を除く略平行四辺形状であれば、各係合部の端面が外溝２４Ａ，２４Ｂの最奥部に沿って当接する状態で取り付けられても、幅方向（長辺）が横方向に沿うように固定金具５０を回転させることができる。
【００６０】
つまり、固定金具５０は、隙間Ｓ内で回転する平面視略平行多角形状の金具であって、第１係合部５２の第１端面が外溝２４Ａの最奥部に沿って略当接し、且つ第２係合部５３の第２端面が外溝２４Ｂの最奥部に沿って略当接していることが好ましい。本実施形態において、第１係合部５２の第１端面とは、平行四辺形の一方の短辺を形成する軒側縁部５０ａの端面である。第２係合部５３の第２端面とは、第１端面と略平行な、平行四辺形の他方の短辺を形成する棟側縁部５０ｂの端面である。
【００６１】
固定金具５０とベース金具４０の間には、固定金具５０の基部５１を支持するスペーサ１８が設けられていてもよい。スペーサ１８は、例えばボルト１６を通す筒状体であって、筒の孔と貫通孔５５及びボルト締結部４６とが一致するようにベース金具４０上に配置される。図８に示す例では、フレーム１３Ａ，１３Ｂの底板２３Ａ，２３Ｂの各先端部が、マウント金具３０の上端から上方に突出して隙間Ｓに挿し込まれたスペーサ１８の上端部にそれぞれ略当接している。
【００６２】
太陽光発電装置１０の上記取り付け構造では、ボルト１６がベース金具４０のボルト締結部４６に螺合されることで、固定金具５０がフレーム１３Ａ，１３Ｂの底板２３Ａ，２３Ｂに強く当接すると共に、ベース金具４０がマウント金具３０に強固に固定される。ボルト１６をボルト締結部４６に螺合すると、ベース金具４０が上方に持ち上がり、ガイドレール部３４に挿入された延出部４２が鉤部３３に強く当接した状態となる。
【００６３】
太陽光発電装置１０は、フレーム１３Ａとフレーム１３Ｂとに跨って隙間Ｓ上に配置されるカバー８０と、フレーム１３Ａの外溝２４Ａに挿し込まれてフレーム１３Ａに固定されると共に、カバー８０がネジ止めされる支持金具８５とを備えていてもよい。カバー８０は、例えば、太陽電池モジュール１１の長辺と略同じ長さを有し、隙間Ｓ上の全体を覆う。カバー８０は、フレーム１３Ａからフレーム１３Ｂに跨って取り付けられ隙間Ｓを覆う基部８１と、基部８１から下方に延出して隙間Ｓに挿し込まれる２つの脚部８２とを有する。各脚部８２は、例えば互いに平行に形成される。
【００６４】
カバー８０は、基部８１の軒側部分がフレーム１３Ａの鉤部２１Ａ上に配置され、基部８１の棟側部分がフレーム１３Ｂの鉤部２１Ｂ上に配置される。軒側の脚部８２はフレーム１３Ａの上下方向に沿った側面に当接し、棟側の脚部８２はフレーム１３Ｂの上下方向に沿った側面に当接している。上述のように、マウント金具３０の上端からの鉤部２１Ａ，２１Ｂの高さは鉤部２１Ａの方がやや高くなるため、例えば、基部８１は軒側部分が棟側部分よりもやや上方に位置するように傾斜している。また、鉤部２１Ａ，２１Ｂの先端部は上面が先端に向かって下方に傾斜しているため、基部８１の先端部も鉤部の形状に合わせて下方に小さく折れ曲がっている。
【００６５】
支持金具８５は、フレーム１３Ａ，１３Ｂの隙間Ｓ内に配置され、支持金具８５の上部が基部８１の裏面に当接している。カバー８０は、基部８１の幅方向中央部を貫通するネジ８６を用いて支持金具８５の上部に固定される。
【００６６】
支持金具８５は、フレーム１３Ａの外溝２４Ａに挿し込まれる爪部８８を有することが好ましい。爪部８８は、例えば、支持金具８５の下部を上部と反対側（軒側）に折り曲げて形成される。支持金具８５は、フレーム１３Ａの本体部２０Ａに沿って下方に延び、ネジ８７を用いて本体部２０Ａに固定されると共に、爪部８８が外溝２４Ａに挿し込まれることでフレーム１３Ａに固定されている。ネジ８６，８７には、例えばドリルネジが使用される。
【００６７】
上述の構成を備えた太陽光発電装置１０によれば、施工が容易でありながら、屋根１００の排水性、防止性を十分に確保できる。また、各太陽電池モジュール１１を屋根１００に強固に固定できると共に、メンテナンス性にも優れる。
【００６８】
次に、図９及び図１０を参照しながら、実施形態の他の一例であるマウント金具９０について詳説する。マウント金具９０は、太陽光発電装置１０のマウント金具３０の代わりに用いることができる。
【００６９】
図９はマウント金具９０の平面図、図１０は図９中のＢＢ線断面図である。図９及び図１０に例示するように、マウント金具９０は、ベース金具４０が載せられる基部９１を有する。一方、マウント金具９０は、基部９１の左右に張り出したフランジ部を有さない点で、マウント金具３０と異なる。マウント金具９０は、屋根面に沿って配置される板状の固定部であって、当該金具を屋根１００に固定するためのネジを通す貫通孔が形成された固定部を有する。マウント金具９０では、基部９１の下壁部９１ｃが当該固定部となる。
【００７０】
マウント金具９０は、マウント金具３０と同様に、軒棟方向に沿う縦方向に長い形状を有し、棟側縁部９０ｂが屋根１００の軒棟方向及び桁方向に対して傾斜している。棟側縁部９０ｂは、屋根１００の桁方向に対して約３°〜１０°の角度θで傾斜していることが好ましい。マウント金具９０は、切断面を縦方向及び横方向に対して斜めに形成することにより、棟側縁部９０ｂを傾斜させることが好適である。この場合、施工性を損なうことなく、雨水等の排水性を向上させることができる。
【００７１】
マウント金具９０の軒側縁部９０ａは、軒棟方向及び桁方向に対して棟側縁部９０ｂと略同じ角度で傾斜していることが好ましい。軒側縁部９０ａは、棟側縁部９０ｂと同じ方向に略同じ角度で形成されている。マウント金具９０は、例えば長尺状の部材を切断して製造されるため、各端部を同じ方向に同じ角度で切断することで材料の無駄を無くすことができる。マウント金具９０は、軒側縁部９０ａと棟側縁部９０ｂとが略平行で、また下壁部９１ｃの外端９２ａ同士も略平行な平面視略平行四辺形状を有する。
【００７２】
基部９１は、ベース金具４０が載せられる上壁部９１ａを有する。上壁部９１ａは、基部９１の横方向両端部に分かれて設けられており、上壁部９１ａ上には鉤部９３が形成されている。鉤部９３は、上壁部９１ａの外側端部から上方に真っ直ぐ延び、途中で内側に折れ曲がって断面略Ｌ字状に形成されている。上壁部９１ａと鉤部９３とによって、ベース金具４０を縦方向にスライド可能に支持するガイドレール部９４が形成される。
【００７３】
基部９１は、各上壁部９１ａの内側端部から下方に延びる側壁部９１ｂと、各側壁部９１ｂの下端部から内側に延びる下壁部９１ｃとを有する。各側壁部９１ｂは、それぞれ各上壁部９１ａ及び各下壁部９１ｃに対して略垂直に形成される。下壁部９１ｃは、上壁部９１ａと略平行に形成され、屋根面に沿って配置可能である。下壁部９１ｃは、上壁部９１ａの外側端部から食み出さない範囲で、側壁部９１ｂの下端部から外側に延びていていてもよい。
【００７４】
基部９１の横方向中央部には、縦方向全長にわたって２つの立壁部９８が形成されている。各立壁部９８は、左右の下壁部９１ｃの内側端部から上方に延び、上端部は上壁部９１ａの上面と略同じ高さに位置する。各立壁部９８は、上壁部９１ａと共にベース金具４０を支持する。基部９１は、各立壁部９８に対して略垂直に形成され、各立壁部９８を連結する連結部９９を有する。
【００７５】
連結部９９は、ベース金具４０に締結されるボルト１６が干渉しないように、立壁部９８の上端よりも低い位置に形成されることが好ましい。他方、連結部９９は屋根面と接触しない高さに形成されることが好ましい。マウント金具９０は、軒棟方向に沿った縦方向の全長にわたって、屋根面との間に空間を設けて形成された排水溝９７を有する。排水溝９７は、各立壁部９８の間であって連結部９９の下に形成される。
【００７６】
マウント金具９０では、基部９１の下壁部９１ｃにネジ１０７を通す貫通孔９５が軒棟方向に並んで複数形成されている。貫通孔９５は、下壁部９１ｃの外端９２ａ及び縦方向両端（軒側縁部９０ａ及び棟側縁部９０ｂ）から１０ｍｍ以上離れた位置に形成されることが好ましい。固定部である下壁部９１ｃの端から貫通孔９５を離して形成することで、ネジ１０７が取り付けられる部分に雨水等が浸入し難くなる。貫通孔９５は、排水溝９７と接する下壁部９１ｃの内端９２ｂから１０ｍｍ以上離れた位置に形成されてもよい。
【００７７】
マウント金具９０には、各太陽電池モジュール１１から引き出される配線を固定するための結束バンドを通す結束バンド用孔９６が形成されていてもよい。結束バンド用孔９６は、鉤部９３の根元部分に横向きに形成されている。例えば、基部９１の縦方向両端部に２つずつ合計４つの結束バンド用孔９６が形成される。また、マウント金具９０には、施工時に使用される位置合わせマークが設けられていてもよい。
【００７８】
上述の構成を備えたマウント金具９０を用いた場合も、マウント金具３０を用いた場合と同様に、良好な施工性、メンテナンス性が得られ、屋根１００の排水性、防止性を十分に確保できる。マウント金具９０は、基部９１の左右に大きく張り出したフランジ部を有さないため、マウント金具３０に比べて幅が狭く、マウント金具９０の幅はベース金具４０の幅よりやや広い程度である。
【００７９】
次に、図１１〜図１４を参照しながら、実施形態の他の一例である太陽光発電装置１０Ｘについて詳説する。以下では、上述の太陽光発電装置１０と共通する構成要素には同じ符号を用いて重複する説明を省略する。
【００８０】
太陽光発電装置１０Ｘ（図１４参照）は、マウント金具３０に変えてマウント金具６０（図１１等参照）を用い、固定金具５０に変えて固定金具７０（図１３等参照）を用いている点で、太陽光発電装置１０と異なる。また、太陽光発電装置１０Ｘはベース金具４０を有さず、固定金具７０は、マウント金具６０上に立設したボルト７６にレンチ穴付きナット７８（図１４参照）を取り付けることでマウント金具６０に固定される。
【００８１】
図１１はマウント金具６０の平面図、図１２は図１１中のＣＣ線断面図である。図１１及び図１２に例示するように、マウント金具６０は、太陽電池モジュール１１Ａ，１１Ｂのフレーム１３Ａ，１３Ｂが載せられる基部６１と、基部６１の下部から左右にそれぞれ張り出したフランジ部６２とを有する。フランジ部６２は、屋根面に沿って配置される板状の固定部である。フランジ部６２には、マウント金具６０を屋根１００に固定するためのネジ１０７を通す貫通孔６５が複数形成されている。
【００８２】
マウント金具６０は、マウント金具３０，９０と同様に、軒棟方向に沿う縦方向に長い形状を有し、棟側縁部６０ｂが屋根１００の軒棟方向及び桁方向に対して傾斜している。棟側縁部６０ｂは、屋根１００の桁方向に対して約３°〜１０°の角度θで傾斜していることが好ましい。後述のボルトガイドレール部６４は軒棟方向に沿って真っ直ぐに延びることが好ましいため、マウント金具６０の切断面を縦方向及び横方向に対して斜めに形成することで、棟側縁部６０ｂを傾斜させることが好適である。この場合、施工性を損なうことなく、雨水等の排水性を向上させることができる。
【００８３】
マウント金具６０の軒側縁部６０ａは、軒棟方向及び桁方向に対して棟側縁部６０ｂと略同じ角度で傾斜していることが好ましい。軒側縁部６０ａは、棟側縁部６０ｂと同じ方向に略同じ角度で形成されている。マウント金具６０は、例えば長尺状の部材を切断して製造されるため、各端部を同じ方向に同じ角度で切断することで材料の無駄を無くすことができる。マウント金具６０は、軒側縁部６０ａと棟側縁部６０ｂとが略平行で、また各フランジ部６２の外端６２ａ同士も略平行な平面視略平行四辺形状を有する。
【００８４】
基部６１は、フレーム１３Ａ，１３Ｂが載せられる上壁部６１ａと、上壁部６１ａの横方向両端部から下方に延び、上壁部６１ａとフランジ部６２をつなぐ２つの側壁部６１ｂと、各側壁部６１ｂの下端同士をつなぐ下壁部６１ｃとを有する。側壁部６１ｂは、例えば上壁部６１ａ、下壁部６１ｃ、及びフランジ部６２に対して略垂直に形成されている。基部６１は、軽量化、材料コスト削減等の観点から中空構造を有することが好ましく、各壁部に囲まれてボルトガイドレール部６４で分離された２つの中空部６７を有する。
【００８５】
基部６１には、固定金具７０を固定するためのボルト７６の軸部が上を向いて立設するように、ボルト７６の頭部を軒棟方向にスライド可能に支持するボルトガイドレール部６４が設けられている。ボルトガイドレール部６４は、基部６１の横方向中央部において基部６１の縦方向全長にわたって設けられる。ボルトガイドレール部６４は、中空の基部６１内に形成された上方に向かって開口する溝であって、上壁部６１ａの一部が左右から溝上に張り出して開口の一部を塞いで形成されている。ボルト７６の頭部は左右から張り出した上壁部６１ａの下面に引っ掛かるため、ボルト７６は上方に抜けない状態で軒棟方向に沿ってスライド可能にボルトガイドレール部６４に保持される。
【００８６】
フランジ部６２は、基部６１の下部から外側に張り出し、マウント金具６０の縦方向全長にわたって形成されている。各フランジ部６２には、ネジ１０７を通す貫通孔６５が軒棟方向に並んで形成されている。貫通孔６５は、ネジ１０７が取り付けられる部分に対する雨水等の浸入を防止するため、フランジ部６２の端から１０ｍｍ以上離れた位置に形成されることが好ましい。貫通孔６５は、例えば、フランジ部６２の縦方向に沿った外側の端である外端６２ａ、及びフランジ部６２の縦方向両端（軒側縁部６０ａ及び棟側縁部６０ｂ）から１０ｍｍ以上離れた位置に形成される。
【００８７】
図１３は、固定金具７０の斜視図である。図１１に例示するように、固定金具７０は、側面視略Ｕ字形状を有する基部７１を有する。基部７１は、互いに略平行に形成された２つの側壁部７１ａと、各側壁部７１ａの下端同士をつなぐ下壁部７１ｂとで構成されている。下壁部７１ｂには、マウント金具６０上に立設したボルト７６を通す貫通孔７２が形成されている。
【００８８】
固定金具７０は、軒側に配置される側壁部７１ａの上端から軒側に延出した第１押え部７３と、棟側に配置される側壁部７１ａの上端から棟側に延出した第２押え部７４とを有する。第１押え部７３は、フレーム１３Ａの鉤部２１Ａよりも短い長さで形成され、鉤部２１Ａを上から押える。第２押え部７４は、フレーム１３Ｂの鉤部２１Ｂよりも短い長さで形成され、鉤部２１Ｂを上から押える。各押え部の先端部は、鉤部２１Ａ，２１Ｂの先端部の形状に合わせて下方に小さく折れ曲がっている。
【００８９】
固定金具７０は、太陽電池モジュール１１の長辺方向長さと略同じ長さを有し、各隙間Ｓの略全長にわたって取り付けられてもよいが、本実施形態では、施工性を考慮してマウント金具６０の幅と略同じ長さとされる。固定金具７０は、基部７１が隙間Ｓに挿し込まれ、ボルト７６及びレンチ穴付きナット７８を用いて各マウント金具６０に１つずつ固定される。基部７１、第１押え部７３、及び第２押え部７４は、固定金具７０の全長にわたって形成されている。貫通孔７２は、例えば基部７１の長手方向中央部に形成される。
【００９０】
固定金具７０は、マウント金具６０の上端からの各押え部の高さが第１押え部７３でやや高くなった形状を有していてもよい。基部７１の下壁部７１ｂは各側壁部７１ａに対して垂直に形成されてもよいが、軒側の側壁部７１ａと下壁部７１ｂとがなす角度が、棟側の側壁部７１ａと下壁部７１ｂとがなす角度よりやや大きくなるように下壁部７１ｂが傾斜していてもよい。
【００９１】
図１４は、太陽光発電装置１０Ｘの取り付け構造を示す縦方向断面図であって、マウント金具６０、及び固定金具７０を用いて、太陽電池モジュール１１Ａの棟側端部及び太陽電池モジュール１１Ｂの軒側端部を屋根１００に固定する構造を示す。
【００９２】
図１４に例示するように、マウント金具６０上には、アース金具１５を介して、太陽電池モジュール１１Ａの棟側端部に設置されたフレーム１３Ａと、太陽電池モジュール１１Ｂの軒側端部に設置されたフレーム１３Ｂとが載せられている。フレーム１３Ａ，１３Ｂの隙間Ｓには上から固定金具７０が挿し込まれ、隙間Ｓの下部にはマウント金具６０上に立設したボルト７６が存在する。そして、固定金具７０の貫通孔７２に通されたボルト７６の軸部にレンチ穴付きナット７８が取り付けられることで、固定金具７０がマウント金具６０に固定されると共に、フレーム１３Ａ，１３Ｂを上から押え付けている。
【００９３】
マウント金具６０は、マウント金具３０と同様に、フランジ部６２に取り付けられたネジ１０７によって屋根１００の野地板１０２に固定される。マウント金具６０は、位置合わせマーク６８と屋根材１０１の軒側縁部とが一致するように配置され、マウント金具６０の棟側部分が屋根材１０１上に、軒側部分がスペーサ１０５上に固定されている。フレーム１３Ａ，１３Ｂは、基部６１の上壁部６１ａ上においてボルト７６を挟み、固定金具７０の基部７１を挿し込み可能な隙間Ｓをあけて対向配置されている。マウント金具６０と屋根材１０１及びスペーサ１０５との間には、ゴム製シート１０３が設けられている。
【００９４】
太陽光発電装置１０Ｘにおいても、太陽電池モジュール１１Ａ，１１Ｂは、太陽電池パネル１２Ａ，１２Ｂが野地板１０２と略平行となるようにマウント金具６０上に固定される。この場合、フレーム１３Ａの底板２３Ａの先端がマウント金具６０上から少し浮き上がり、マウント金具６０の上端からの鉤部２１Ａ，２１Ｂの高さは鉤部２１Ａの方が僅かに高くなる。
【００９５】
マウント金具６０の基部６１に立設したボルト７６は、頭部がボルトガイドレール部６４（図１２参照）に挿入され、軸部が上方を向き基部６１の上壁部６１ａに対して略垂直に延びている。ボルト７６は、ボルトガイドレール部６４から抜け落ちない範囲で軒棟方向にスライド可能であるため、フレーム１３Ａ，１３Ｂの配置の自由度が高く施工性に優れる。ボルト７６は、例えば軸部にナット７７を取り付けることで、スライドしないように固定することができる。
【００９６】
固定金具７０は、フレーム１３Ａ，１３Ｂに跨って取り付けられ、基部７１の下壁部７１ｂに形成された貫通孔７２にはボルト７６の軸部が通されている。そして、ボルト７６の軸部の下壁部７１ｂより上方に突出した部分に、レンチ穴付きナット７８が螺合されている。レンチ穴付きナット７８は、下壁部７１ｂを上から押さえ付け、固定金具７０をマウント金具６０に固定する。レンチ穴付きナット７８は、例えば、六角レンチを挿し込み可能なレンチ穴が形成されたナットであって、当該レンチ穴を上方に向けた状態で六角レンチを用いて取り付けられる。
【００９７】
固定金具７０は、第１押え部７３がフレーム１３Ａの鉤部２１Ａを上から押え付け、第２押え部７４がフレーム１３Ｂの鉤部２１Ｂを上から押え付けている。また、基部７１の各側壁部７１ａが隙間Ｓにおいてフレーム１３Ａ，１３Ｂの上下方向に沿った各側面にそれぞれ当接することで、太陽電池モジュール１１Ａ，１１Ｂの軒棟方向への移動を防止している。第１押え部７３と軒側の側壁部７１ａとによってフレーム１３Ａの上端角部が押えられ、第２押え部７４と棟側の側壁部７１ａとによってフレーム１３Ｂの上端角部が押えられている。
【００９８】
上述の構成を備えた太陽光発電装置１０Ｘによれば、屋根１００の排水性、防止性を十分に確保できる。太陽光発電装置１０Ｘは、太陽光発電装置１０と同様に、施工が容易でメンテナンス性が良好である
【符号の説明】
【００９９】
１０，１０Ｘ  太陽光発電装置、１１，１１Ａ，１１Ｂ  太陽電池モジュール、１２，１２Ａ，１２Ｂ  太陽電池パネル、１３，１３Ａ，１３Ｂ  フレーム、１５  アース金具、１６  ボルト、１７  仮止めボルト、１８  スペーサ、２０，２０Ａ，２０Ｂ  本体部、２１，２１Ａ，２１Ｂ  鉤部、２２  内溝、２３，２３Ａ，２３Ｂ  底板、２４，２４Ａ，２４Ｂ  外溝、２５，２５Ａ，２５Ｂ  内鍔部、３０  マウント金具、３０ａ  軒側縁部、３０ｂ  棟側縁部、３１  基部、３１ａ  上壁部、３１ｂ  側壁部、３１ｃ  凹部、３２  フランジ部、３２ａ  外端、３２ｂ  内端、３３  鉤部、３４  ガイドレール部、３５  貫通孔、３６  結束バンド用孔、３７  排水溝、３８  位置合わせマーク、４０  ベース金具、４１  基部、４２  延出部、４３  係合部、４４  棟側立壁部、４６  ボルト締結部、４７  仮止めボルト締結部、４８  開口部、５０  固定金具、５０ａ  軒側縁部、５０ｂ  棟側縁部、５１  基部、５２  第１係合部、５３  第２係合部、５４  突起、５５  貫通孔、５６  器具挿入孔、６０  マウント金具、６０ａ  軒側縁部、６０ｂ  棟側縁部、６１  基部、６１ａ  上壁部、６１ｂ  側壁部、６１ｃ  下壁部、６２  フランジ部、６２ａ  外端、６４  ボルトガイドレール部、６５  貫通孔、６７  中空部、６８  位置合わせマーク、７０  固定金具、７１  基部、７１ａ  側壁部、７１ｂ  下壁部、７２  貫通孔、７３  第１押え部、７４  第２押え部、７６  ボルト、７７  ナット、７８  レンチ穴付きナット、８０  カバー、８１  基部、８２  脚部、８５  支持金具、８６，８７  ネジ、８８  爪部、９０  マウント金具、９０ａ  軒側縁部、９０ｂ  棟側縁部、９１  基部、９１ａ  上壁部、９１ｂ  側壁部、９１ｃ  下壁部、９２ａ  外端、９２ｂ  内端、９３  鉤部、９４  ガイドレール部、９５  貫通孔、９６  結束バンド用孔、９７  排水溝、９８  立壁部、９９  連結部、１００  屋根、１０１  屋根材、１０２  野地板、１０３  ゴム製シート、１０５  スペーサ、１０６  貫通孔、１０７  ネジ、Ｓ  隙間
【図１】
0006775126.tif 000002
【図２】
0006775126.tif 000003
【図３】
0006775126.tif 000004
【図４】
0006775126.tif 000005
【図５】
0006775126.tif 000006
【図６】
0006775126.tif 000007
【図７】
0006775126.tif 000008
【図８Ａ】
0006775126.tif 000009
【図８Ｂ】
0006775126.tif 000010
【図９】
0006775126.tif 000011
【図１０】
0006775126.tif 000012
【図１１】
0006775126.tif 000013
【図１２】
0006775126.tif 000014
【図１３】
0006775126.tif 000015
【図１４】
0006775126.tif 000016